(57)【要約】【課題】制御回路を共有する携帯端末を屋内情報端末に接続した状態で屋内情報端末の電源のＯＮを行うように構成することにより、節電効果とセキュリティを向上させたホームネットワークシステムを提供する。【解決手段】家屋１０内の各部屋１１〜１３に設置された屋内情報端末６〜８に対して携帯電話機９を接続することにより、接続された屋内情報端末６〜８と屋内情報端末６〜８が設置された部屋の電源がＯＮ可能な状態へと切り換わるとともに、携帯電話機９が屋内情報端末６〜８から切断されることにより、接続されていた屋内情報端末６〜８と屋内情報端末６〜８が設置された部屋の電源が自動的にＯＦＦされるように構成する。【選択図】図１
2007128164.tif 000002
【特許請求の範囲】
【請求項１】
映像を記憶する映像記憶手段と、
ユーザが前記映像記憶手段に記憶された映像の閲覧を行う屋内情報端末と、
前記屋内情報端末に接続される携帯端末と、を有するホームネットワークシステムであって、
前記携帯端末は前記屋内情報端末と少なくとも一部を共用する制御回路を備え、
前記屋内情報端末は、
前記携帯端末と接続する接続端子と、
前記屋内情報端末に供給される電源のＯＮ又はＯＦＦを切り替える電源切換手段と、を有し、
前記電源切換手段は前記接続端子に前記携帯端末が接続された状態で電源のＯＮを行うことを特徴とするホームネットワークシステム。
【請求項２】
前記電源切換手段は前記接続端子から前記携帯端末が切断される際に電源のＯＦＦを行うことを特徴とする請求項１に記載のホームネットワークシステム。
【請求項３】
前記携帯端末は当該携帯端末を所持するユーザを識別する識別情報を記憶する識別情報記憶手段を有し、
前記屋内情報端末は前記識別情報記憶手段に記憶された識別情報に基づいて適正なユーザの携帯端末が前記接続端子に接続されているか否かを判定するユーザ判定手段を備え、
前記電源切換手段は前記ユーザ判定手段によって適正なユーザの携帯端末が接続されていると判定された場合に電源のＯＮを行うことを特徴とする請求項１又は請求項２に記載のホームネットワークシステム。
【請求項４】
前記屋内情報端末が設置された部屋に供給される電源のＯＮ又はＯＦＦを切り替える部屋電源切換手段を有し、
前記部屋電源切換手段は前記接続端子に前記携帯端末が接続された状態で電源のＯＮを行うことを特徴とする請求項１乃至請求項３のいずれかに記載のホームネットワークシステム。
【請求項５】
前記部屋電源切換手段は前記接続端子から前記携帯端末が切断される際に電源のＯＦＦを行うことを特徴とする請求項４に記載のホームネットワークシステム。
【請求項６】
前記携帯端末は携帯端末を所持するユーザを識別する識別情報を記憶する識別情報記憶手段を有し、
前記屋内情報端末は前記識別情報記憶手段に記憶された識別情報に基づいて適正なユーザの携帯端末が前記接続端子に接続されているか否かを判定するユーザ判定手段を備え、
前記部屋電源切換手段は前記ユーザ判定手段によって適正なユーザの携帯端末が接続されていると判定された場合に電源のＯＮを行うことを特徴とする請求項４又は請求項５に記載のホームネットワークシステム。
【発明の詳細な説明】
【技術分野】
【０００１】
本発明は、映像を記憶する映像記憶手段と、映像記憶手段に記憶された映像をユーザに閲覧可能にした屋内情報端末と、から構成されるホームネットワークシステムに関し、特に、制御回路を共有する携帯端末を屋内情報端末に接続した状態で屋内情報端末の電源がＯＮされるように構成することにより、節電効果とセキュリティを向上させたホームネットワークシステムに関する。
【背景技術】
【０００２】
近年、ハイビジョン放送などが導入され、放送局から送信されるテレビ画像データのデジタル化がなされるようになってきた。また、送信されるテレビ画像データを録画する際の録画システムにおいても、従来のアナログデータにより記憶するテープカセット方式からデジタルデータにより記憶するＤＶＤ、ハードディスクドライブ（ＨＤＤ）方式が一般的になりつつある。
更に、上記のデジタルデータ方式の録画システムにおいて、現在は各部屋に設置された録画装置（ハードディスクレコーダ等）によってそれぞれ録画するように構成されている。しかし、より利便性を向上させる為に、一の録画用のサーバを家屋内に配置して当該サーバで一括して録画を行い、各部屋に閲覧用の端末を配置することにより各人がサーバに録画されたテレビ画像データを閲覧可能に構成することが望ましい。
【０００３】
その一方で、携帯電話機等の携帯端末は、単なる音声通話用の道具から、メッセージの送受信やインターネットのウェブブラウザなどの情報端末として用途が広がっている。また、近年では携帯端末の普及率が非常に高く、ユーザは携帯端末を常に持ち歩いて外出することが一般である。そこで、従来より前記録画システムに対して携帯端末を適用した新たな録画システムについて提案されている。例えば、特開２００１−２３８１５７号公報には、携帯端末を用いてユーザが選択した番組の番組コード及び転送先コードをビデオサーバに送信することにより、外出先から放送番組の録画予約を行う予約システムについて記載されている。
【特許文献１】特開２００１−２３８１５７号公報（第６頁〜第８頁、図１）
【発明の開示】
【発明が解決しようとする課題】
【０００４】
しかしながら、前記サーバにより一括の録画を行う録画システムでは、閲覧用の端末を操作すればサーバに録画されたテレビ画像データを誰もが閲覧することが可能となっており、セキュリティ面において脆弱となっていた。また、各部屋に配置される端末としては一般にパーソナルコンピュータ（以下、ＰＣという）が用いられると考えられるが、ＰＣの性能の進歩は日進月歩であり、端末として使用するＰＣの性能向上の為にＰＣを買い換えたり、高価なパーツを交換する必要があった。
更に、従来より部屋に設置されたテレビやビデオ等の電化製品について、ユーザが部屋を出る際に電源を切り忘れることが多く、これらの電源の切り忘れを防止する為の携帯端末を組合せた新たな方法が望まれていた。
【０００５】
本発明は、前記従来の問題点を解消するためになされたものであり、携帯端末の制御回路を屋内情報端末と共用することによって屋内情報端末を買い換えることなく性能の向上を図ることができるとともに、節電効果とセキュリティを向上させたホームネットワークシステムを提供することを目的とする。
【課題を解決するための手段】
【０００６】
前記目的を達成するため請求項１に係るホームネットワークシステムは、映像を記憶する映像記憶手段（例えば、録画サーバ４）と、ユーザが前記映像記憶手段に記憶された映像の閲覧を行う屋内情報端末（例えば、屋内情報端末６〜８）と、前記屋内情報端末に接続される携帯端末（例えば、携帯電話機９）と、を有するホームネットワークシステム（例えば、ホームネットワークシステム１）であって、前記携帯端末は前記屋内情報端末と少なくとも一部を共用する制御回路（例えば、ＣＰＵ７１）を備え、前記屋内情報端末は、前記携帯端末と接続する接続端子（例えば、接続コネクタ１４）と、前記屋内情報端末に供給される電源のＯＮ又はＯＦＦを切り替える電源切換手段（例えば、ＣＰＵ７１、Ｓ４、Ｓ６）と、を有し、前記電源切換手段は前記接続端子に前記携帯端末が接続された状態で電源のＯＮを行うことを特徴とする。
ここで、「屋内情報端末に供給される電源のＯＮ又はＯＦＦを切り替える」とは屋内情報端末の電源をＯＮ又はＯＦＦに切り替えることの他に、屋内情報端末の電源をＯＮ又はＯＦＦすることが可能な状態に切り替えることを含む。
【０００７】
また、請求項２に係るホームネットワークシステムは、請求項１に記載のホームネットワークシステム（例えば、ホームネットワークシステム１）において、前記電源切換手段（例えば、ＣＰＵ７１、Ｓ４、Ｓ６）は前記接続端子（例えば、接続コネクタ１４）から前記携帯端末（例えば、携帯電話機９）が切断される際に電源のＯＦＦを行うことを特徴とする。
【０００８】
また、請求項３に係るホームネットワークシステムは、請求項１又は請求項２に記載のホームネットワークシステム（例えば、ホームネットワークシステム１）において、前記携帯端末（例えば、携帯電話機９）は当該携帯端末を所持するユーザを識別する識別情報（例えば、ユーザＩＤ）を記憶する識別情報記憶手段（例えば、メモリ７２）を有し、前記屋内情報端末は前記識別情報記憶手段に記憶された識別情報に基づいて適正なユーザの携帯端末が前記接続端子に接続されているか否かを判定するユーザ判定手段（例えば、ＣＰＵ７１、Ｓ３）を、備え、前記電源切換手段（例えば、ＣＰＵ７１、Ｓ４、Ｓ６）は前記ユーザ判定手段によって適正なユーザの携帯端末が接続されていると判定された場合に電源のＯＮを行うことを特徴とする。
【０００９】
また、請求項４に係るホームネットワークシステムは、請求項１乃至請求項３のいずれかに記載のホームネットワークシステム（例えば、ホームネットワークシステム１）において、前記屋内情報端末（例えば、屋内情報端末６〜８）が設置された部屋に供給される電源のＯＮ又はＯＦＦを切り替える部屋電源切換手段（例えば、配電盤２１、ＣＰＵ７１、Ｓ４、Ｓ６）を有し、前記部屋電源切換手段は前記接続端子（例えば、接続コネクタ１４）に前記携帯端末（例えば、携帯電話機９）が接続された状態で電源のＯＮを行うことを特徴とする。
ここで、「部屋に供給される電源のＯＮ又はＯＦＦを切り替える」とは部屋に設置された各種家電製品の電源をＯＮ又はＯＦＦに切り替えることの他に、部屋に設置された各種家電製品の電源をＯＮ又はＯＦＦすることが可能な状態に切り替えることを含む。
【００１０】
また、請求項５に係るホームネットワークシステムは、請求項４に記載のホームネットワークシステム（例えば、ホームネットワークシステム１）において、前記部屋電源切換手段（例えば、配電盤２１、ＣＰＵ７１、Ｓ４、Ｓ６）は前記接続端子（例えば、接続コネクタ１４）から前記携帯端末（例えば、携帯電話機９）が切断される際に電源のＯＦＦを行うことを特徴とする。
【００１１】
更に、請求項６に係るホームネットワークシステムは、請求項４又は請求項５に記載のホームネットワークシステム（例えば、ホームネットワークシステム１）において、前記携帯端末（例えば、携帯電話機９）は携帯端末を所持するユーザを識別する識別情報（例えば、ユーザＩＤ）を記憶する識別情報記憶手段（例えば、メモリ７２）を有し、前記屋内情報端末（例えば、屋内情報端末６〜８）は前記識別情報記憶手段に記憶された識別情報に基づいて適正なユーザの携帯端末が前記接続端子（例えば、接続コネクタ１４）に接続されているか否かを判定するユーザ判定手段（例えば、ＣＰＵ７１、Ｓ３）を備え、前記部屋電源切換手段（例えば、配電盤２１、ＣＰＵ７１、Ｓ４、Ｓ６）は前記ユーザ判定手段によって適正なユーザの携帯端末が接続されていると判定された場合に電源のＯＮを行うことを特徴とする。
【発明の効果】
【００１２】
請求項１に係るホームネットワークシステムは、映像記憶手段に記憶された映像の閲覧を行う屋内情報端末に対して携帯端末が接続された状態で、屋内情報端末に供給される電源のＯＮを行うように構成するので、携帯端末を所持する特定のユーザ以外では映像記憶手段に記憶された映像の閲覧をすることができなくなる。従って、不特定多数の者に映像記憶手段に記憶された映像を閲覧される虞がなく、セキュリティ面が強化される。また、携帯端末を接続した状態でのみ屋内情報端末の電源をＯＮすることが可能となるので、不必要な状況下で電源がＯＮされることがなく、節電効果が向上する。
また、携帯端末の制御回路を屋内情報端末と共用することによって、屋内情報端末を買い換えることなく携帯端末の変更に基づいて処理能力の向上を図ることができる。
【００１３】
また、請求項２に係るホームネットワークシステムでは、映像記憶手段に記憶された映像の閲覧を行う屋内情報端末に対して携帯端末が切断される際に、屋内情報端末に供給される電源のＯＦＦを行うように構成するので、ユーザが映像の閲覧を終了した後でも電源がＯＮされた状態が継続する虞がない。従って、ユーザによる電源の切り忘れを防止し、節電効果が向上する。
【００１４】
また、請求項３に係るホームネットワークシステムでは、映像記憶手段に記憶された映像の閲覧を行う屋内情報端末に対して適正なユーザの携帯端末が接続された状態で、屋内情報端末に供給される電源のＯＮを行うように構成するので、所定の携帯端末を所持する適正なユーザ以外では映像記憶手段に記憶された映像の閲覧をすることができなくなる。従って、不特定多数の者に映像記憶手段に記憶された映像を閲覧される虞がなく、セキュリティ面がより強化される。
【００１５】
また、請求項４に係るホームネットワークシステムでは、映像記憶手段に記憶された映像の閲覧を行う屋内情報端末に対して携帯端末が接続された状態で、屋内情報端末が設置された部屋に供給される電源のＯＮを行うように構成するので、携帯端末を所持する正規のユーザ以外では部屋に設置された屋内情報端末を含む各家電製品の電源をＯＮすることができなくなり、セキュリティ面が強化される。また、携帯端末を接続した状態でのみ部屋の電源をＯＮすることが可能となるので、不必要な状況下で各家電製品の電源がＯＮされることがなく、節電効果が向上する。
【００１６】
また、請求項５に係るホームネットワークシステムでは、映像記憶手段に記憶された映像の閲覧を行う屋内情報端末に対して携帯端末が切断される際に、屋内情報端末が設置された部屋に供給される電源のＯＦＦを行うように構成するので、ユーザが映像の閲覧を終了した後でも部屋に設置された屋内情報端末を含む各家電製品の電源がＯＮされた状態が継続する虞がない。従って、ユーザによる家電製品の電源の切り忘れを防止し、節電効果が向上する。
【００１７】
更に、請求項６に係るホームネットワークシステムでは、映像記憶手段に記憶された映像の閲覧を行う屋内情報端末に対して適正なユーザの携帯端末が接続された状態で、屋内情報端末が設置された部屋に供給される電源のＯＮを行うように構成するので、所定の携帯端末を所持する適正なユーザ以外では部屋に設置された屋内情報端末を含む各家電製品の電源をＯＮすることができなくなり、セキュリティ面がより強化される。
【発明を実施するための最良の形態】
【００１８】
以下、本発明に係るホームネットワークシステムについて具体化した実施形態に基づき図面を参照しつつ詳細に説明する。先ず、本実施形態に係るホームネットワークシステム１の概略構成について図１及び図２に基づき説明する。図１は本実施形態に係るホームネットワークシステム１の概略構成を示す図、図２は本実施形態に係るホームネットワークシステム１の内、特に家屋内に設けられた一の部屋に係る構成について示した図である。
【００１９】
図１に示すように、本実施形態に係るホームネットワークシステム１は、配信センタである放送局２から送信された放送信号を受信する受信アンテナ３と、受信アンテナ３により受信した放送信号（映像信号と音声信号とから構成される）をデコード処理するとともにデコード処理された映像データ及び音声データを記録する録画サーバ４と、録画サーバ４にＬＡＮ（Ｌｏｃａｌ  Ａｒｅａ  Ｎｅｔｗｏｒｋ）等の通信回線を介して接続された複数台（本実施形態では３台）の屋内情報端末６〜８と、屋内情報端末６〜８に対して接続される携帯電話機９とから基本的に構成されている。また、録画サーバ４及び屋内情報端末６〜８は家屋１０内に配置されており、特に屋内情報端末６〜８は家屋１０内に形成された各部屋１１〜１３に対してそれぞれ配置されている。
【００２０】
ここで、放送局２は映像信号及び音声信号からなるアナログ又はデジタル放送信号を中継局や放送衛星を介して各家庭に配信する配信センタである。尚、放送信号の配信方法としては光ファイバやＡＤＳＬ等のインターネット回線や、ケーブルテレビのケーブル回線等を使用して配信することとしても良い。
【００２１】
また、受信アンテナ３は放送局２から配信される放送信号を受信するアンテナであり、放送信号の種類に応じて、アナログ放送受信アンテナ、デジタル放送受信アンテナ、パラボナアンテナ等が使用される。
【００２２】
また、録画サーバ４はユーザが屋内情報端末６〜８のキーボードやマウス等を用いて設定した録画予約（録画御行う日時やチャンネルの設定）に基づいて、放送局２から配信された放送信号を録画予約を行ったユーザに対応付けてハードディスクドライブやＤＶＤ等の記憶媒体に記憶する記憶手段である。
【００２３】
また、屋内情報端末６〜８はパーソナルコンピュータ（以下、ＰＣという）が用いられ、キーボードやマウス等によって録画サーバ４で録画を行う番組の録画予約を可能とするとともに、録画サーバ４で録画した番組映像の閲覧を行うことが可能となっている。また、屋内情報端末６〜８には携帯電話機９を接続する為の接続コネクタ１４が設けられており、録画サーバ４で予め登録された適正なユーザが所有する携帯電話機９が接続されることによって、接続された屋内情報端末６〜８及び屋内情報端末６〜８が設置された部屋１１〜１３の電源がＯＮ可能な状態となる。一方、接続コネクタ１４から携帯電話機９が切断されると、接続されていた屋内情報端末６〜８及び屋内情報端末６〜８が設置された部屋１１〜１３の電源が自動的にＯＦＦされる。
【００２４】
ここで、図２では特に屋内情報端末６が設置された部屋１１内のホームネットワークシステム１の構成を示した図である。図２に示すように屋内情報端末６には部屋１１の電力供給をコントロールする配電盤２１が接続されている。ここで、配電盤２１は部屋１１に供給される電源のＯＮ又はＯＦＦを切り替える切換手段であり、部屋１１に設置された家電製品である電灯２２、エアコン２３、電子レンジ２４に対する電力の供給状態を“電源をＯＮすることが可能な通電状態”と、“電源をＯＮすることができない（電源がＯＦＦとなる）絶縁状態”との間で可変することが可能となっている。
従って、屋内情報端末６は、接続コネクタ１４に対して携帯電話機９が接続された場合に、配電盤２１に部屋１１に設置された家電製品を通電状態とすることにより、各家電製品の電源をユーザがＯＮすることが可能となる。一方、接続コネクタ１４から携帯電話機９が切断された場合に、配電盤２１に部屋１１に設置された家電製品を絶縁状態とすることにより、家電製品の電源を自動的にＯＦＦすることが可能となる。
【００２５】
また、携帯電話機９は屋内情報端末６〜８の接続コネクタ１４に接続する為の接続端子を有しており、屋内情報端末６〜８に接続されることによって屋内情報端末６〜８は携帯電話機９に記憶されたユーザＩＤから接続された携帯電話機９を所持するユーザを特定することが可能となる。そして、屋内情報端末６〜８は、録画サーバ４に記憶された番組映像の内、特定されたユーザが対応付けられた番組映像のタイトル一覧及び番組映像を当該携帯電話機９が接続された屋内情報端末６〜８で閲覧可能とする。更に、携帯電話機９に内蔵されるＣＰＵは、後述するように屋内情報端末６〜８に接続されることによって屋内情報端末６〜８と共用されるように構成されている。
【００２６】
次に、ホームネットワークシステム１を構成する録画サーバ４の構成について図３を用いて詳細に説明する。図３はホームネットワークシステム１を構成する録画サーバ４の構成を示すブロック図である。
図３に示すように、録画サーバ４はデータバスＢＵＳにＣＰＵ３１と、メモリ３２と、ユーザの操作を受け付けるマウスやキーボード等からなる操作部３３と、受信アンテナ３からを介して放送信号を受信するチューナ受信部３４と、チューナ受信部３４で受信した音声信号をデコード処理するとともに記録された音声データをエンコード処理する音声処理部３５と、チューナ受信部３４で受信した映像信号をデコード処理するとともに記録された映像データをエンコード処理する映像処理部３６と、デコード処理された音声信号及び映像信号等を記録する為のハードディスクやＤＶＤからなる記録デバイス３７と、音声処理部３５でデコード処理された音声信号を出力する音声出力部３８と、映像処理部３６でデコード処理された映像信号を出力する映像出力部３９と、音声出力部３８によって出力された音声信号を変換して音声を出力するスピーカ４０と、映像出力部３９によって出力された映像信号を変換して映像を表示するディスプレイ４１と、屋内情報端末６〜８との間で信号の送受信を行う通信Ｉ／Ｆ（インターフェイス）４２とが接続されることにより構成されている。
【００２７】
ここで、ＣＰＵ３１は、メモリ３２に格納されている動作プログラムに従って種々の動作を実行する制御手段であり、当該動作に応じて各回路部を制御する。
【００２８】
また、記録デバイス３７には番組予約領域３７Ａと録画領域３７Ｂとユーザ情報記憶領域３７Ｃとが設けられている。
先ず、番組予約領域３７Ａについて説明すると、番組予約領域３７Ａには屋内情報端末６〜８から送信された録画予約が記憶される。図４は記録デバイス３７に設けられた番組予約領域３７Ａを示した図である。
図４に示すように、番組予約領域３７Ａには録画を開始する録画開始時刻と、録画を終了する録画終了時刻と、録画対象となる放送番組のチャンネルと、番組のタイトルと、録画する際の画質を特定する録画モードと、録画した番組映像に対応付けるユーザ名とが記憶されている。尚、各項目は基本的に屋内情報端末６〜８からの送信情報に基づいて記憶されるが、タイトルに関しては予めダウンロードしたテレビ番組表と録画時間とに基づいて自動的に記憶するようにしても良い。また、ユーザ名に関しては録画予約を行った際に録画予約を行った屋内情報端末６〜８に接続されている携帯電話機９に記憶されるユーザＩＤから録画予約を行ったユーザを特定し、自動的に記憶される。
そして、録画サーバ４は番組予約領域３７Ａに記憶された内容に従って、受信した放送信号に基づいて番組映像を録画領域３７Ｂに対して記録する。また、記憶した番組映像に対して当該番組映像の録画予約を行ったユーザを対応付ける。
【００２９】
次に、録画領域３７Ｂについて説明すると、録画領域３７Ｂには番組予約領域３７Ａに記憶された情報に基づいて録画された番組映像に関する情報が記憶される。図５は記録デバイス３７に設けられた録画領域３７Ｂを示した図である。
図５に示すように、録画領域３７Ｂには放送局２から配信された映像信号をデコード処理した番組映像に係る映像データと、放送局２から配信された音声信号をデコード処理した番組映像に係る音声データと、録画が開始された録画開始時刻と、録画が終了された録画終了時刻と、録画対象となった放送番組のチャンネルと、番組映像を特定する番組のタイトルと、録画された画質を特定する録画モードと、録画した番組映像に対応付けられたユーザ名とが記憶されている。
そして、録画サーバ４は屋内情報端末６〜８から要求があった場合に、所定のユーザに対応付けられたタイトルの一覧や、所定のユーザに対応付けられた映像データ及び音声データをエンコード処理して屋内情報端末６〜８に対して送信する。
【００３０】
次に、ユーザ情報記憶領域３７Ｃについて説明すると、ユーザ情報記憶領域３７Ｃには屋内情報端末６〜８を使用する適正なユーザに関するユーザ情報が記憶される。図６は記録デバイス３７に設けられたユーザ情報記憶領域３７Ｃを示した図である。
図６に示すように、ユーザ情報記憶領域３７Ｃにはユーザを識別するユーザＩＤとユーザ名とがそれぞれ記憶されている。尚、ユーザＩＤ及びユーザ名は、ユーザが所持する携帯電話機９を録画サーバ４に接続した状態でユーザ名を入力させることによりそれぞれ記憶される。
そして、録画サーバ４は屋内情報端末６〜８から接続された携帯電話機９のユーザＩＤが送信された場合に、接続された携帯電話機９を所持するユーザがユーザ情報記憶領域３７Ｃに記憶されている適正なユーザであるか否かを判定する。その後、適正なユーザである場合には当該ユーザが対応付けられた映像データ及び音声データを録画領域３７Ｂから抽出して屋内情報端末６〜８に送信する。
【００３１】
次に、ホームネットワークシステム１を構成する屋内情報端末６〜８及び屋内情報端末６〜８に接続される携帯電話機９の構成について図７を用いて詳細に説明する。尚、屋内情報端末６〜８は基本的に同一の構成を有している。従って、以下では屋内情報端末６を例に挙げて説明することとし、他の屋内情報端末７、８に関する説明は省略する。図７はホームネットワークシステム１を構成する屋内情報端末６及び屋内情報端末６に接続される携帯電話機９の構成を示すブロック図である。
図７に示すように、屋内情報端末６はデータバスＢＵＳに、メモリ５１と、ユーザの操作を受け付けるマウスやキーボード等からなる操作部５２と、録画サーバ４との間で信号の送受信を行うとともに配電盤２１に対して部屋１１の電気の通電状態を切り替える切換信号を送信する通信Ｉ／Ｆ（インターフェイス）５３と、録画サーバ４から送信された音声信号をデコード処理する音声処理部５４と、録画サーバ４から送信された映像信号をデコード処理する映像処理部５５と、各種のプログラムが記録されるハードディスクドライブ（ＨＤＤ）５６と、音声処理部５４でデコード処理された音声信号を出力する音声出力部５７と、映像処理部５５でデコード処理された映像信号を出力する映像出力部５８と、音声出力部５７によって出力された音声信号を変換して音声を出力するスピーカ５９と、映像出力部５８によって出力された映像信号を変換して映像を表示するディスプレイ６０と、携帯電話機９を接続する接続端子を備えた接続コネクタ１４とが接続されることにより構成されている。
【００３２】
一方、携帯電話機９はデータバスＢＵＳに、ＣＰＵ７１と、携帯電話機９を所持するユーザを特定するユーザＩＤ７２Ａが記憶されたメモリ７２と、基地局との間で信号の送受信を行う送受信回路部（ＲＦ）７３と、送受信回路部７３において受信したＲＦ（Ｒａｄｉｏ  Ｆｒｅｑｕｅｎｃｙ）信号をベースバンド信号に変換するとともにベースバンド信号をＲＦ信号に変換するベースバンド処理部７４と、マイクロホン７５及びスピーカ７６とのインターフェイスである入出力部７７と、液晶表示パネル等で構成された表示部７８及びキーボードやジョグダイヤル等でなる入力操作部７９と、接続コネクタ１４と接続することにより屋内情報端末６との間で情報の送受信を行う接続端子８０とが接続されることにより構成されている。
【００３３】
ここで、携帯電話機９に内蔵されるＣＰＵ７１は、メモリ７２に格納されている動作プログラムに従って種々の動作を実行する携帯電話機９の制御手段であるとともに、接続コネクタ１４に対して接続端子８０が接続された場合には屋内情報端末６のメモリ５１やＨＤＤ５６に格納されている動作プログラムに従って種々の動作を実行する屋内情報端末６の制御手段でもあり、当該動作に応じて各回路部を制御する。
【００３４】
上記の構成からなる屋内情報端末６及び携帯電話機９では、携帯電話機９が接続コネクタ１４に接続されると、屋内情報端末６及び部屋１１の電源がＯＮ可能な状態となり、屋内情報端末６の電源スイッチ（図示せず）が押下されることに基づいて電源がＯＮされる。そして、電源がＯＮされた屋内情報端末６は接続された携帯電話機９のＣＰＵ７１を共用して以下の処理を行う。
先ず、操作部５２の操作に基づいて録画予約が行われた場合には、録画を開始する録画開始時刻と、録画を終了する録画終了時刻と、録画対象となる放送番組のチャンネルと、番組のタイトルと、録画する際の画質を特定する録画モードとが、携帯電話機９のメモリ７２から読み出したユーザＩＤ７２Ａとともに録画サーバ４に対して送信される。
一方、操作部５２の操作に基づいて録画された番組映像の閲覧を行う場合には、先ず携帯電話機９のメモリ７２から読み出したユーザＩＤ７２Ａが録画サーバ４に送信される。それに応じて、録画サーバ４からユーザＩＤ７２Ａによって特定されるユーザに対応付けられた録画映像のタイトルの一覧が屋内情報端末６に送信され、ディスプレイ６０に表示される。そして、表示されたタイトルからユーザが選択したタイトルの番組映像が録画サーバ４から更に送信され、屋内情報端末６で当該番組映像を閲覧することが可能となる。
【００３５】
続いて、前記構成を有するホームネットワークシステム１の屋内情報端末６〜８が実行する電源供給切換処理プログラムについて図８に基づき説明する。ここで、電源供給切換処理プログラムは、一定時間間隔毎、例えば４ｍｓ毎に実行され、屋内情報端末６〜８に対する携帯電話機９の接続状態に基づいて、屋内情報端末６〜８及び屋内情報端末６〜８が設置された部屋１１〜１３の電源の供給状態を切り替える処理プログラムである。図８は本実施形態に係るホームネットワークシステム１の屋内情報端末６〜８が携帯電話機９のＣＰＵ７１を共用して実行する電源供給切換処理プログラムのフローチャートである。
【００３６】
先ず、電源供給切換処理プログラムにおいてＣＰＵ７１は、ステップ（以下、Ｓとする）１で、携帯電話機９が屋内情報端末６〜８の接続コネクタ１４に対して接続されたか否かを判定する。
【００３７】
そして、携帯電話機９が接続されたと判定した場合（Ｓ１：ＹＥＳ）には、ＣＰＵ７１は屋内情報端末６〜８に接続された携帯電話機９のメモリ７２からユーザＩＤ７２Ａを読み出す（Ｓ２）。
【００３８】
続いて、Ｓ３ではＣＰＵ７１は、前記Ｓ２で読み出したユーザＩＤ７２Ａと録画サーバ４から取得したユーザ情報記憶領域３７Ｃに記憶されたユーザ情報とに基づいて、接続された携帯電話機９を所有するユーザが予め録画サーバ４に登録された適正なユーザであるか否かが判定される。
【００３９】
そして、適正なユーザでないと判定された場合（Ｓ３：ＮＯ）には当該電源供給切換処理プログラムを終了する一方、適正なユーザであると判定された場合（Ｓ３：ＹＥＳ）には、携帯電話機９が接続された屋内情報端末６〜８の電源を電源スイッチの押下に基づいてＯＮ可能な状態とする（Ｓ４）。更に、配電盤２１（図２参照）に対して部屋１１〜１３の電源供給を開始する信号を送信することにより、部屋１１〜１３に設置された各家電製品の電源をＯＮ可能な通電状態とする。
【００４０】
一方、携帯電話機９が既に接続されていると判定した場合（Ｓ１：ＮＯ）には、続いてＳ５において携帯電話機９が屋内情報端末６〜８から切断されるか否かが判定される。その結果、携帯電話機９が屋内情報端末６〜８から切断されると判定された場合（Ｓ５：ＹＥＳ）には、ＣＰＵ７１は携帯電話機９が切断される屋内情報端末６〜８の電源を自動的にＯＦＦの状態とする（Ｓ６）。更に、配電盤２１（図２参照）に対して部屋１１〜１３の電源供給を終了する信号を送信することにより、部屋１１〜１３に設置された各家電製品の電源を絶縁状態とし、電源がＯＮされていた家電製品の電源を自動的にＯＦＦする。
一方、携帯電話機９が屋内情報端末６〜８から切断されないと判定された場合（Ｓ５：ＮＯ）には、当該電源供給切換処理プログラムを終了する。
【００４１】
次に、図９に基づいてホームネットワークシステム１の録画サーバ４及び屋内情報端末６〜８が実行する録画予約処理プログラムについて図９に基づき説明する。ここで、録画予約処理プログラムは、屋内情報端末６〜８による所定の操作に基づいて、録画サーバ４に対して新たな録画予約を記憶させるプログラムである。図９は本実施形態に係るホームネットワークシステム１の録画サーバ４のＣＰＵ３１又は屋内情報端末６〜８が携帯電話機９のＣＰＵ７１を共用して実行する録画予約処理プログラムのフローチャートである。
【００４２】
先ず、図９を用いて屋内情報端末６〜８がＣＰＵ７１を共用して実行する録画予約処理プログラムについて説明する。録画予約処理プログラムにおいて、ＣＰＵ７１は屋内情報端末６〜８に接続された携帯電話機９のメモリ７２からユーザＩＤ７２Ａを読み出す（Ｓ１１）。
【００４３】
その後、Ｓ１２においてＣＰＵ７１は録画予約入力処理を行う。具体的に録画予約入力処理では、ディスプレイ６０に録画予約入力画面を表示させ、ユーザによる操作部５２の操作に基づいて、録画を開始する録画開始時刻と、録画を終了する録画終了時刻と、録画対象となる放送番組のチャンネルと、番組のタイトルと、録画する際の画質を特定する録画モードとをそれぞれ入力することにより行われる。
【００４４】
次に、Ｓ１３でＣＰＵ７１は通信Ｉ／Ｆ５３を介し、録画サーバ４に対して前記Ｓ１１で読み出したユーザＩＤと前記Ｓ１２で入力された録画予約内容とを送信する。
【００４５】
続いて、図９を用いて録画サーバ４のＣＰＵ３１が実行する録画予約処理プログラムについて説明すると、ＣＰＵ３１はＳ１１１において、前記Ｓ１３で屋内情報端末６〜８から送信された予約録画内容とユーザＩＤとを受信する。
【００４６】
その後、ＣＰＵ３１はＳ１１２で、受信したユーザＩＤとユーザ情報記憶領域３７Ｃに記憶されたユーザ情報とに基づいて、録画予約を行った屋内情報端末６〜８に接続された携帯電話機９を所持するユーザを特定する。
【００４７】
次に、Ｓ１１３ではＣＰＵ３１は前記Ｓ１１１で受信した録画予約内容と前記Ｓ１１２で特定したユーザとに基づいて、番組予約領域３７Ａに新たな録画予約を記録する。具体的には、録画を開始する録画開始時刻と、録画を終了する録画終了時刻と、録画対象となる放送番組のチャンネルと、番組のタイトルと、録画する際の画質を特定する録画モードとをユーザ名に対応付けて記憶する（図４参照）。その後、当該録画予約処理プログラムを終了する。
【００４８】
次に、図１０に基づいてホームネットワークシステム１の録画サーバ４及び屋内情報端末６〜８が実行する映像閲覧処理プログラムについて図１０に基づき説明する。ここで、映像閲覧処理プログラムは、屋内情報端末６〜８による所定の操作に基づいて、録画サーバ４に記憶された番組映像の内、閲覧を行うユーザに対応した番組映像を屋内情報端末６〜８に対して送信し、閲覧させるプログラムである。図１０は本実施形態に係るホームネットワークシステム１の録画サーバ４のＣＰＵ３１又は屋内情報端末６〜８が携帯電話機９のＣＰＵ７１を共用して実行する映像閲覧処理プログラムのフローチャートである。
【００４９】
先ず、図１０を用いて屋内情報端末６〜８がＣＰＵ７１を共用して実行する映像閲覧処理プログラムについて説明する。映像閲覧処理プログラムにおいて、ＣＰＵ７１はユーザによる操作部５２の操作に基づいて録画サーバ４に録画された録画番組を閲覧する所定の操作が行われたか否かを判定する（Ｓ２１）。
【００５０】
そして、ユーザによる操作部５２の操作に基づいて録画サーバ４に録画された録画番組を閲覧する所定の操作が行われたと判定した場合（Ｓ２１：ＹＥＳ）には、Ｓ２２へと移行する一方、所定の操作が行われていないと判定された場合（Ｓ２１：ＮＯ）には、所定の操作が行われるまで待機する。
【００５１】
Ｓ２２では、ＣＰＵ７１は屋内情報端末６〜８に接続された携帯電話機９のメモリ７２からユーザＩＤ７２Ａを読み出す。その後、Ｓ２３においてＣＰＵ７１は通信Ｉ／Ｆ５３を介し、録画サーバ４に対して前記Ｓ２２で読み出したユーザＩＤを送信する。
【００５２】
次に、Ｓ２４では録画サーバ４から送信されたタイトルの一覧を受信し、ディスプレイ６０に表示する（Ｓ２５）。ここで、録画サーバ４から送信されるタイトルの一覧は、録画サーバ４に現在録画されている番組映像の内、特に閲覧要求を行った屋内情報端末６〜８に接続されている携帯電話機９を所持するユーザが対応付けられた番組映像のタイトルの一覧が送信される。例えば、録画サーバ４の録画領域３７Ｂに対して図５に示す番組映像が記憶されている場合において、ユーザＡが屋内情報端末６〜８を用いて閲覧要求を行った場合には、『□□ニュース』と『△○講座』の番組映像のタイトルがそれぞれ送信される。また、ユーザＢが屋内情報端末６〜８を用いて閲覧要求を行った場合には、『○×アニメ』と『△△ストーリー』と『××な世界』と『モーニング△○』の番組映像のタイトルがそれぞれ送信される。また、ユーザＣが屋内情報端末６〜８を用いて閲覧要求を行った場合には、『○×紀行』の番組映像のタイトルが送信される。
【００５３】
以下に図１１を用いて特にユーザＢが対応付けられた番組映像のタイトルが送信された場合にディスプレイ６０に表示されるタイトル一覧画面８１の一例について説明する。図１１は屋内情報端末６〜８のディスプレイ６０に表示されるタイトル一覧画面８１について示した図である。
図１１に示すように、タイトル一覧画面８１には録画が開始された録画開始時刻と、録画対象となった放送番組のチャンネルと、番組のタイトルとが示されたタイトル表示部８２が上下方向に複数個並んで配置され、更にタイトル表示部８２の外周には選択カーソル８３が表示される。
そして、ユーザが操作部５２を用いて選択カーソル８３を上下方向に移動させ、決定ボタン（図示せず）を押下することによって、閲覧を希望する希望するタイトルを選択することが可能となっている。
【００５４】
次に、Ｓ２６ではＣＰＵ７１はタイトル一覧画面８１に表示されたタイトルからいずれかのタイトルが選択されたか否かが操作部５２の操作情報に基づいて判定される。その結果、いずれかのタイトルが選択されたと判定された場合（Ｓ２６：ＹＥＳ）にはＳ２７へと移行する一方、いずれのタイトルも選択されていないと判定された場合（Ｓ２６：ＮＯ）には、いずれかのタイトルの選択が行われるまで待機される。
【００５５】
続いて、Ｓ２７ではタイトル一覧画面８１でユーザが選択したタイトルの情報が録画サーバ４に送信される。その後、Ｓ２８では録画サーバ４から送信された映像信号及び音声信号を受信し、受信した各信号をデコード処理した番組映像をディスプレイ６０に表示する。それによって、録画サーバ４に記録された番組映像の内、閲覧要求を行ったユーザが対応付けられた番組映像であって、且つユーザの希望する番組映像を屋内情報端末６〜８で閲覧することが可能となる。
【００５６】
次に、録画サーバ４のＣＰＵ３１が実行する映像閲覧処理プログラムについて説明すると、ＣＰＵ３１はＳ１２１において、前記Ｓ２３で屋内情報端末６〜８から送信されたユーザＩＤとを受信する。
【００５７】
その後、ＣＰＵ３１はＳ１２２で、受信したユーザＩＤとユーザ情報記憶領域３７Ｃに記憶されたユーザ情報とに基づいて、閲覧要求を行った屋内情報端末６〜８に接続された携帯電話機９を所持するユーザを特定する。
【００５８】
次に、Ｓ１２３ではＣＰＵ３１は前記Ｓ１２２で特定したユーザに基づいて、録画領域３７Ｂに記録された番組映像から特定したユーザが対応付けられた番組映像のタイトルを抽出する。例えば、録画サーバ４の録画領域３７Ｂに対して図５に示す番組映像が記憶されている場合において、ユーザＡが屋内情報端末６〜８を用いて閲覧要求を行った場合には、『□□ニュース』と『△○講座』の番組映像のタイトルがそれぞれ抽出される。また、ユーザＢが屋内情報端末６〜８を用いて閲覧要求を行った場合には、『○×アニメ』と『△△ストーリー』と『××な世界』と『モーニング△○』の番組映像のタイトルがそれぞれ抽出される。また、ユーザＣが屋内情報端末６〜８を用いて閲覧要求を行った場合には、『○×紀行』の番組映像のタイトルが抽出される。
【００５９】
次に、Ｓ１２４ではＣＰＵ３１は前記Ｓ１２３で抽出した番組映像のタイトルの一覧を屋内情報端末６〜８に対して送信する。その後、Ｓ１２５では屋内情報端末６〜８からユーザが選択したタイトルの情報を受信する。
【００６０】
そして、Ｓ１２６でＣＰＵ３１は、前記Ｓ１２５で受信したタイトルの映像データ及び音声データを録画領域３７Ｂから抽出する。その後、抽出した映像データ及び音声データをエンコード処理した後に屋内情報端末６〜８に対して送信する。その後、当該映像閲覧処理プログラムを終了する。
【００６１】
以上説明した通り本実施形態に係るホームネットワークシステム１では、家屋１０内の各部屋１１〜１３に設置された屋内情報端末６〜８に対して携帯電話機９を接続することにより、接続された屋内情報端末６〜８と屋内情報端末６〜８が設置された部屋の電源がＯＮ可能な状態へと切り換わる（Ｓ４）とともに、携帯電話機９が屋内情報端末６〜８から切断されることにより、接続されていた屋内情報端末６〜８と屋内情報端末６〜８が設置された部屋の電源が自動的にＯＦＦされる（Ｓ６）ので、携帯電話機９を所持する特定のユーザ以外では録画サーバ４に記憶された番組映像の閲覧をすることができなくなる。従って、不特定多数の者に録画サーバ４に記憶された番組映像を閲覧される虞がなく、セキュリティ面が強化される。また、携帯電話機９を接続した状態でのみ屋内情報端末６〜８の電源をＯＮすることが可能となるので、不必要な状況下で電源がＯＮされることがなく、節電効果が向上する。
また、録画サーバ４に記憶された番組映像の閲覧を行う屋内情報端末６〜８に対して携帯電話機９が切断される際に、接続されていた屋内情報端末６〜８に供給される電源をＯＦＦする（Ｓ６）ので、ユーザが番組映像の閲覧を終了した後でも電源がＯＮされた状態が継続する虞がない。従って、ユーザによる電源の切り忘れを防止し、節電効果が向上する。
また、屋内情報端末６〜８は携帯電話機９に記憶されたユーザＩＤから適正なユーザの携帯電話機９が接続されたと判定した場合（Ｓ３：ＹＥＳ）のみに、屋内情報端末６〜８に供給される電源のＯＮを行うように構成するので、所定の携帯電話機９を所持する特定のユーザ以外では録画サーバ４に記憶された番組映像の閲覧をすることができなくなり、セキュリティ面がより強化される。
また、携帯電話機９を所持する適正なユーザ以外では部屋１１〜１３に設置された屋内情報端末６〜８を含む各家電製品の電源をＯＮすることができなくなり、セキュリティ面が強化される。また、携帯電話機９を接続した状態でのみ部屋１１〜１３の電源をＯＮすることが可能となるので、不必要な状況下で各家電製品の電源がＯＮされることがなく、節電効果が向上する。
また、録画サーバ４に記憶された番組映像の閲覧を行う屋内情報端末６〜８に対して携帯電話機９が切断される際に、接続されていた屋内情報端末６〜８の部屋１１〜１３に供給される電源をＯＦＦする（Ｓ６）ので、ユーザが番組映像の閲覧を終了した後でも部屋１１〜１３に設置された各家電製品の電源がＯＮされた状態が継続する虞がない。従って、ユーザによる家電製品の電源の切り忘れを防止し、節電効果が向上する。
また、屋内情報端末６〜８は携帯電話機９に記憶されたユーザＩＤから適正なユーザの携帯電話機９が接続されたと判定した場合（Ｓ３：ＹＥＳ）のみに、屋内情報端末６〜８が設置された部屋１１〜１３に供給される電源のＯＮを行うように構成するので、セキュリティ面がより強化される。
また、録画サーバ４には携帯電話機９を所持するユーザ毎に対応付けて映像を記憶させ、屋内情報端末６〜８から閲覧要求があった場合には、屋内情報端末６〜８に接続されている携帯電話機９のユーザが対応付けられた番組映像を録画サーバ４から取得して屋内情報端末６〜８で表示する（Ｓ２８、Ｓ２９）ので、録画サーバ４に記憶させた番組映像を特定ユーザ以外の他のユーザに閲覧させることを防止できる。従って、録画サーバ４で一括して録画を行う録画システムを用いた場合であっても、各ユーザのプライバシーの保護が可能となる。
また、子供等に閲覧させたくない番組映像を録画サーバ４に記憶させた場合であっても、それらのユーザへの閲覧を防止することができるので、ユーザの利便性を向上させることが可能となる。
更に、屋内情報端末６〜８から閲覧要求があった場合には、屋内情報端末６〜８に接続されている携帯電話機９のユーザが対応付けられた番組映像のタイトルを録画サーバ４から取得して屋内情報端末６〜８で表示する（Ｓ２４、Ｓ２５）ので、各ユーザは録画サーバに記憶された映像の内、自分が閲覧を行うことが可能な映像を容易に把握することが可能となる。従って、ユーザの利便性が向上する。
【００６２】
尚、本発明は前記実施例に限定されるものではなく、本発明の要旨を逸脱しない範囲内で種々の改良、変形が可能であることは勿論である。
例えば、本実施形態に係るホームネットワークシステム１では、配信センタである放送局２から配信される放送信号に基づいて番組映像を録画サーバ４に記憶させることとしていたが、ビデオショップ等からインターネット回線を介して購入した動画を録画サーバ４に記憶し、屋内情報端末６〜８で閲覧可能なように構成しても良い。その場合には、購入した動画を録画サーバ４に記憶させる際に、購入したユーザを対応付けて記憶させることにより、ユーザが自ら購入した動画のみを閲覧可能なように構成することが可能となる。
【００６３】
また、本実施形態では携帯電話機９が屋内情報端末６〜８に接続された際に屋内情報端末６〜８や屋内情報端末６〜８が設置された部屋１１〜１３の電源をＯＮすることが可能なように構成しているが、携帯電話機９が接続された時点で自動的にＯＮされるように構成しても良い。
【００６４】
また、録画サーバ４と屋内情報端末６〜８とを双方向に通信可能に接続する回線は有線であっても無線であっても良い。
【図面の簡単な説明】
【００６５】
また、本実施形態では携帯電話機９と屋内情報端末６〜８とは接続コネクタ１４を用いて双方向に通信可能に接続することとしているが、携帯電話機９と屋内情報端末６〜８とは電波や赤外線を用いた無線通信により双方向に通信可能に接続することとしても良い。
【００６６】
【図１】本実施形態に係るホームネットワークシステムの概略構成を示す図である。
【図２】本実施形態に係るホームネットワークシステムの内、特に家屋内に設けられた一の部屋に係る構成について示した図である。
【図３】本実施形態に係るホームネットワークシステムを構成する録画サーバの構成を示すブロック図である。
【図４】本実施形態に係る録画サーバの記録デバイスに設けられた番組予約領域を示した図である。
【図５】本実施形態に係る録画サーバの記録デバイスに設けられた録画領域を示した図である。
【図６】本実施形態に係る録画サーバの記録デバイスに設けられたユーザ情報記憶領域を示した図である。
【図７】本実施形態に係るホームネットワークシステムを構成する屋内情報端末及び屋内情報端末に接続される携帯電話機の構成を示すブロック図である。
【図８】本実施形態に係るホームネットワークシステムの屋内情報端末が実行する電源供給切換処理プログラムのフローチャートである。
【図９】本実施形態に係るホームネットワークシステムの録画サーバ又は屋内情報端末が実行する録画予約処理プログラムのフローチャートである。
【図１０】本実施形態に係るホームネットワークシステムの録画サーバ又は屋内情報端末が実行する映像閲覧処理プログラムのフローチャートである。
【図１１】屋内情報端末のディスプレイに表示されるタイトル一覧画面について示した図である。
【符号の説明】
【００６７】
１              ホームネットワークシステム
２              放送局
３              受信アンテナ
４              録画サーバ
６〜８          屋内情報端末
９              携帯電話機
１１〜１３      部屋
１４            接続コネクタ
３１            ＣＰＵ
３２            メモリ
３７            記録デバイス
３７Ａ          番組予約領域
３７Ｂ          録画領域
３７Ｃ          ユーザ情報記憶領域
７１            ＣＰＵ
【図１】
2007128164.tif 000003
【図２】
2007128164.tif 000004
【図３】
2007128164.tif 000005
【図４】
2007128164.tif 000006
【図５】
2007128164.tif 000007
【図６】
2007128164.tif 000008
【図７】
2007128164.tif 000009
【図８】
2007128164.tif 000010
【図９】
2007128164.tif 000011
【図１０】
2007128164.tif 000012
【図１１】
2007128164.tif 000013